(57)【要約】【課題】穀粒と藁屑類の分離精度を高める脱穀部の揺動選別装置を提供する。【解決手段】唐箕から吹き出す選別風路に扱室から漏下した被選別物を受けて揺動移送しながら一番穀粒と二番物とに選別する揺動選別棚を設ける。揺動選別棚の上部には前側部から後側部にかけて穀粒移送板、網体のグレンシーブ、後部チャフシーブ、後部ストローラックが順次配置されている粗選別部を設け、揺動選別棚の下部には被選別物を一番穀粒と二番物とに選別する網体からなる精選別部を設ける。これらの両選別部の上下中間部位に前側部の中間穀粒移送板と後側部の前部チャフシーブからなる中間選別部を設ける。そして、中間選別部を粗選別部のグレンシーブの下方に配置し、前部チャフシーブの前部チャフ板の後上り傾斜を緩傾斜に構成し、後部チャフシーブの後部チャフ板の後上り傾斜を急傾斜に構成する。【選択図】        図１
2005333892.tif 000002
【特許請求の範囲】
【請求項１】
唐箕１１から吹き出す選別風路に扱室２から漏下した被選別物を受けて揺動移送しながら一番穀粒と二番物とに選別する揺動選別棚１０を設け、揺動選別棚１０の上部には前側部から後側部にかけて穀粒移送板１６、網体のグレンシーブ１７、後部チャフシーブ１８、後部ストローラック２０が順次配置されている粗選別部Ａを設け、揺動選別棚１０の下部には被選別物を一番穀粒と二番物とに選別する網体からなる精選別部Ｂを設け、これらの両選別部Ａ，Ｂの上下中間部位に前側部の中間穀粒移送板２３と後側部の前部チャフシーブ２４からなる中間選別部Ｃを設け、該中間選別部Ｃを粗選別部Ａのグレンシーブ１７の下方に配置し、前記前部チャフシーブ２４の後上り傾斜状の前部チャフ板２４ａ，…を前記後部チャフシーブ１８の後上り傾斜状の後部チャフ板１８ａ，…よりも緩傾斜に構成したことを特徴とする脱穀部の揺動選別装置。
【請求項２】
唐箕１１から吹き出す選別風路に扱室２から漏下した被選別物を受けて揺動移送しながら一番穀粒と二番物とに選別する揺動選別棚１０を設け、揺動選別棚１０の上部には前側部から後側部にかけて穀粒移送板１６、網体のグレンシーブ１７、後部チャフシーブ１８、後部ストローラック２０が順次配置されている粗選別部Ａを設け、揺動選別棚１０の下部には被選別物を一番穀粒と二番物とに選別する網体からなる精選別部Ｂを設け、これらの両選別部Ａ，Ｂの上下中間部位に前側部の中間穀粒移送板２３と後側部の前部チャフシーブ２４からなる中間選別部Ｃを設け、該中間選別部Ｃを粗選別部Ａのグレンシーブ１７の下方に配置し、前記前部チャフシーブ２４の後上り傾斜状の前部チャフ板２４ａ，…を前記後部チャフシーブ１８の後上り傾斜状の後部チャフ板１８ａ，…よりも少ない枚数で構成したことを特徴とする脱穀部の揺動選別装置。
【請求項３】
唐箕１１から吹き出す選別風路に扱室２から漏下した被選別物を受けて揺動移送しながら一番穀粒と二番物とに選別する揺動選別棚１０を設け、揺動選別棚１０の上部には前側部から後側部にかけて穀粒移送板１６、網体のグレンシーブ１７、後部チャフシーブ１８、後部ストローラック２０が順次配置されている粗選別部Ａを設け、揺動選別棚１０の下部には被選別物を一番穀粒と二番物とに選別する網体からなる精選別部Ｂを設け、これらの両選別部Ａ，Ｂの上下中間部位に前側部の中間穀粒移送板２３と後側部の前部チャフシーブ２４からなる中間選別部Ｃを設け、該中間選別部Ｃを粗選別部Ａのグレンシーブ１７の下方に配置し、前記前部チャフシーブ２４の後上り傾斜状の前部チャフ板２４ａ，…の前後間隔を前記後部チャフシーブ１８の後上り傾斜状の後部チャフ板１８ａ，…の前後間隔よりも広く構成したことを特徴とする脱穀部の揺動選別装置。
【発明の詳細な説明】
【技術分野】
【０００１】
本発明は、脱穀部の揺動選別装置に関するものである。
【背景技術】
【０００２】
脱穀部の揺動選別装置において、扱室から漏下した被選別物をチャフシーブで受け止めて揺動移送しながら粗選別する粗選別部と、被選別物を一番穀粒と二番物とに選別する精選別部とを設け、両選別部の上下中間位置に、固定グレンパンと複数本の篩い線からなる中間選別部を配置し、唐箕からの選別風の一部を前記中間選別部に導入可能な開口部を形成し、選別風の開口部への導入量を増減調整する風向き板を設けたものは公知である（特許文献１）。
【特許文献１】特開平７−２７４６９６号公報（４頁、第３図）
【発明の開示】
【発明が解決しようとする課題】
【０００３】
従来技術では粗選別部と精選別部との間に配置する中間選別部を、固定グレンパンの後側に複数本の篩い線を設ける構成であるので、粗選別部から落下する被選別物に穀稈切れが混じっていると、穀稈切れが篩い線から下方の精選別部に落下し、精選別部での穀粒の選別を阻害したり、穀稈切れが一番穀粒に混じるという不具合が発生する。
【０００４】
そこで、この発明はこのような不具合を解消すると共に、穀粒と藁屑類との分離を良好にし選別精度を高めようとするものである。
【課題を解決するための手段】
【０００５】
前記問題点を解決するために、この発明は次のような技術的手段を講じた。
【０００６】
請求項１の発明は、唐箕１１から吹き出す選別風路に扱室２から漏下した被選別物を受けて揺動移送しながら一番穀粒と二番物とに選別する揺動選別棚１０を設け、揺動選別棚１０の上部には前側部から後側部にかけて穀粒移送板１６、網体のグレンシーブ１７、後部チャフシーブ１８、後部ストローラック２０が順次配置されている粗選別部Ａを設け、揺動選別棚１０の下部には被選別物を一番穀粒と二番物とに選別する網体からなる精選別部Ｂを設け、これらの両選別部Ａ，Ｂの上下中間部位に前側部の中間穀粒移送板２３と後側部の前部チャフシーブ２４からなる中間選別部Ｃを設け、該中間選別部Ｃを粗選別部Ａのグレンシーブ１７の下方に配置し、前記前部チャフシーブ２４の後上り傾斜状の前部チャフ板２４ａ，…を前記後部チャフシーブ１８の後上り傾斜状の後部チャフ板１８ａ，…よりも緩傾斜に構成したことを特徴とする脱穀部の揺動選別装置とする。
【０００７】
前記構成によると、扱室２から粗選別部Ａに落下した藁屑類と穀粒の混じった被選別物は穀粒移送板１６、グレンシーブ１７、後部チャフシーブ１８の急な後上り傾斜状の後部チャフ板１８ａ，…及び後部ストローラック２０により前側部から後側部に揺動移送されながら粗選別され、後側まで送られた藁屑類は後部ストローラック２０から機外に排出される。また、藁屑類に混じっている穀粒はグレンシーブ１７から中間選別部Ｃに漏下し、下り傾斜の中間穀粒移送板２３を経て前部チャフシーブ２４に移送されて緩い後上り傾斜状の前部チャフ板２４ａ，…により選別される。そして、穀粒に混じっている穀稈切れや藁屑類は前部チャフ板２４ａ，…上を経て精選別部Ｂの後側部の網体上に落下し、更に網体上を後側に移送されて二番受樋１３に落下選別され、また、前部チャフ板２４ａ，…から漏下した穀粒は精選別部Ｂの選別網から漏下し一番受樋１２に落下選別される。
【０００８】
請求項２の発明は、唐箕１１から吹き出す選別風路に扱室２から漏下した被選別物を受けて揺動移送しながら一番穀粒と二番物とに選別する揺動選別棚１０を設け、揺動選別棚１０の上部には前側部から後側部にかけて穀粒移送板１６、網体のグレンシーブ１７、後部チャフシーブ１８、後部ストローラック２０が順次配置されている粗選別部Ａを設け、揺動選別棚１０の下部には被選別物を一番穀粒と二番物とに選別する網体からなる精選別部Ｂを設け、これらの両選別部Ａ，Ｂの上下中間部位に前側部の中間穀粒移送板２３と後側部の前部チャフシーブ２４からなる中間選別部Ｃを設け、該中間選別部Ｃを粗選別部Ａのグレンシーブ１７の下方に配置し、前記前部チャフシーブ２４の後上り傾斜状の前部チャフ板２４ａ，…を前記後部チャフシーブ１８の後上り傾斜状の後部チャフ板１８ａ，…よりも少ない枚数で構成したことを特徴とする脱穀部の揺動選別装置とする。
【０００９】
前記構成によると、扱室２から粗選別部Ａに落下した藁屑類と穀粒の混じった被選別物は穀粒移送板１６、グレンシーブ１７、後部チャフシーブ１８の枚数の多い後部チャフ板１８ａ，…及び後部ストローラック２０により前側部から後側部に揺動移送されながら粗選別され、後側まで送られた藁屑類は後部ストローラック２０から機外に排出される。また、藁屑類に混じっている穀粒はグレンシーブ１７から中間選別部Ｃに漏下し、下り傾斜の中間穀粒移送板２３を経て前部チャフシーブ２４に移送されて少ない枚数の前部チャフ板２４ａ，…により選別される。そして、穀粒に混じっている穀稈切れや藁屑類は前部チャフ板２４ａ，…上を経て精選別部Ｂの後側部の網体上に落下し、更に網体上を後側に移送されて二番受樋１３に落下選別され、また、少ない枚数の前部チャフ板２４ａ，…から早く漏下した穀粒は精選別部Ｂの選別網から更に漏下し一番受樋１２に落下選別される。
【００１０】
請求項３の発明は、唐箕１１から吹き出す選別風路に扱室２から漏下した被選別物を受けて揺動移送しながら一番穀粒と二番物とに選別する揺動選別棚１０を設け、揺動選別棚１０の上部には前側部から後側部にかけて穀粒移送板１６、網体のグレンシーブ１７、後部チャフシーブ１８、後部ストローラック２０が順次配置されている粗選別部Ａを設け、揺動選別棚１０の下部には被選別物を一番穀粒と二番物とに選別する網体からなる精選別部Ｂを設け、これらの両選別部Ａ，Ｂの上下中間部位に前側部の中間穀粒移送板２３と後側部の前部チャフシーブ２４からなる中間選別部Ｃを設け、該中間選別部Ｃを粗選別部Ａのグレンシーブ１７の下方に配置し、前記前部チャフシーブ２４の後上り傾斜状の前部チャフ板２４ａ，…の前後間隔を前記後部チャフシーブ１８の後上り傾斜状の後部チャフ板１８ａ，…の前後間隔よりも広く構成したことを特徴とする脱穀部の揺動選別装置とする。
【００１１】
前記構成によると、扱室２から粗選別部Ａに落下した藁屑類と穀粒の混じった被選別物は穀粒移送板１６、グレンシーブ１７、後部チャフシーブ１８の前後間隔の広い後部チャフ板１８ａ，…及び後部ストローラック２０により前側部から後側部に揺動移送されながら粗選別され、後側まで送られた藁屑類は後部ストローラック２０から機外に排出される。また、藁屑類に混じっている穀粒はグレンシーブ１７から中間選別部Ｃに漏下し、下り傾斜の中間穀粒移送板２３を経て前部チャフシーブ２４に移送されて前後間隔の広い前部チャフ板２４ａ，…により選別される。そして、穀粒に混じっている穀稈切れや藁屑類は前部チャフ板２４ａ，…上を経て精選別部Ｂの後側部の網体上に落下し、更に網体上を後側に移送されて二番受樋１３に落下選別され、また、前後間隔の広い前部チャフ板２４ａ，…から早く漏下した穀粒は精選別部Ｂの選別網から更に漏下し一番受樋１２に落下選別される。
【発明の効果】
【００１２】
請求項１の発明は、粗選別部Ａのグレンシーブ１７から中間選別部Ｃに漏下した被選別物中の穀粒は前部チャフシーブ２４の緩傾斜の前部チャフ板１４ａ，…により円滑に後側に移送されながら精選別部Ｂの網体を漏下して一番受樋１２に落下選別され、また、被選別物中の穀稈切れや藁屑類は粗選別部Ａの後部チャフシーブ１８の急傾斜の後部チャフ板１８ａ，…により抵抗を加えられながら後側に移送されつつ選別され、藁屑類と穀粒の分離が促進され選別精度を向上させることができる。
【００１３】
請求項２の発明は、粗選別部Ａのグレンシーブ１７から中間選別部Ｃに漏下した被選別物中の穀粒は前部チャフシーブ２４の少ない枚数の前部チャフ板１４ａ，…により後側に移送されながら迅速に漏下し、また、被選別物中の穀稈切れや藁屑類は粗選別部Ａの後部チャフシーブ１８の多い枚数の後部チャフ板１８ａ，…により抵抗を加えられながら後側に移送されつつ選別され、藁屑類と穀粒との分離が促進され選別精度を向上させることができる。
【００１４】
請求項３の発明は、粗選別部Ａのグレンシーブ１７から中間選別部Ｃに漏下した被選別物中の穀粒は前部チャフシーブ２４の前後間隔の広い前部チャフ板１４ａ，…により後側に移送されながら迅速に漏下選別され、また、被選別物中の穀稈切れや藁屑類は粗選別部Ａの後部チャフシーブ１８の前後間隔の狭い後部チャフ板１８ａ，…により抵抗を加えられながら後側に移送されつつ選別され、藁屑類と穀粒との分離が促進され選別精度を向上させることができる。
【発明を実施するための最良の形態】
【００１５】
（実施例１）
以下本発明の実施の一形態を図面に基づき説明する。
【００１６】
図１及び図２はコンバインの脱穀部を示している。脱穀部は、フィードチエン１により穀稈の株元を挟持搬送しながら穂先部を扱室２内に挿入し回転駆動される扱胴３により脱穀するように構成し、脱穀処理されて受網４を漏下した脱穀処理物を下方の選別部５で穀粒、枝梗付き穀粒等の二番物及び藁屑類の三番物に選別し、選別された穀粒を一番揚穀機（図示省略）によりグレンタンク（図示省略）に揚穀貯溜し、二番物を二番揚穀機６により処理室７に還元して再度脱穀処理し、藁屑類の三番物を選別部５の後部から排塵ファン８により機外に排出するように構成している。
【００１７】
扱室２の横側方には処理室７を配置し、処理室７には処理胴９を回転自在に設けている。この処理胴９を機体前側に位置する部分を小径処理胴９ａに、後側に位置する部分を大径処理胴９ｂに構成している。そして、処理室７における小径処理胴９ａの後端部位に二番揚穀機６からの二番物を還元し、小径処理胴９ａにより二番物を機体前側に送りながら再度の脱穀処理をする。また、処理室７における大径処理胴９ｂの前端部位に扱室２の後側に送られた未脱穀物を供給し、大径処理胴９ｂにより機体後側に送りながら脱穀処理し、後側端部から藁屑類を排出し揺動選別棚１０の後部に供給するように構成している。
【００１８】
次に、選別部５について説明する。
【００１９】
選別部５は、扱室２の受網４から漏下した脱穀物を揺動移送しながら比重選別する揺動選別棚１０と、この揺動選別棚１０に選別風を供給して脱穀物を風選し藁屑類を後側に吹き飛ばす唐箕１１と、選別された穀粒を受ける一番ラセン１１ａ付き一番受樋１２と、選別された二番物を受ける二番ラセン１３ａ付き二番受樋１３と、揺動選別棚１０で選別されて後側に吹き飛ばした藁屑類を機外に排出する排塵ファン８等により構成されている。
【００２０】
次に、揺動選別棚１０について説明する。
【００２１】
この揺動選別棚１０の平面長方形状の中抜き揺動選別枠体１０ａは、スライド支持機構１４とクランク揺動機構１５により機体に揺動自在に支持されていて、その揺動選別枠体１０ａの内側上部に粗選別部Ａを設けている。この粗選別部Ａは、前側部から後側にかけて移送突起付きの穀粒移送板１６、網体のグレンシーブ１７、後部チャフシーブ１８、後部チャフシーブ１８の上方に設けた前部ストローラック１９、後部チャフシーブ１８の後側に位置する後部ストローラック２０により構成されていて、扱室２の受網４から漏下した脱穀物や、扱室２の排塵口２ａから排出された藁屑類を受けて揺動移送しながら粗選別する構成である。
【００２２】
そして、後部チャフシーブ１８は、横軸芯回りに回動調節自在の複数の後部チャフ板１８ａ，…を左右方向に並列配置し、各後部チャフ板１８ａ，…をチャフシーブ連動板２１に連係し、例えば、調整モータ（図示省略）によりチャフシーブ連動板２１を前後移動しその傾斜角度を緩急に調整するように構成している。
【００２３】
また、前部ストローラック１９の前端部には受け板（あるいは受け篩い線）２２を移送上手に向けて延出し、この受け板２２を扱室２の後側端部下方に設けた排塵口２ａの下方に臨ませている。また、前部ストローラック１９は短い短ストローラック１９ａ，…及び長い長ストローラック１９ｂ，…を左右方向に交互に並列配置し、長ストローラック１９ｂ，…の選別作用面を緩い後側上り傾斜に構成し、短ストローラック１９ａ，…の選別作用面を急な後上り傾斜に構成してその後側端部を長ストローラック１９ｂ，…の中途部上方に臨ませている。
【００２４】
中抜き揺動選別枠体１０ａの内側下部には、前側部の後側下り傾斜のグレンパンと後側の選別網で構成されている精選別部Ｂを設け、粗選別部Ａから漏下した穀粒を主体とする被選別物をグレンパンにより後側に案内し選別網で穀粒を後側に移送しながら漏下選別し、穀粒を前側部の一番受樋１２に漏下選別し、枝梗付き穀粒の二番物を後側に配置した二番受樋１３に漏下選別する構成である。
【００２５】
また、粗選別部Ａと精選別部Ｂとの上下方向中間部に、前側部の後下り傾斜の中間穀粒移送板２３と、後側部の前部チャフシーブ２４からなる中間選別部Ｃを構成している。しかして、粗選別部Ａから漏下した被選別物を中間穀粒移送板２３により後側に揺動移送しながら前部チャフシーブ２４に供給して前部チャフシーブ２４で風選し、穀粒は前部チャフシーブ２４から精選別部Ｂの前側部の選別網に漏下し、枝梗付き穀粒や藁屑類は前部チャフシーブ２４上を後側に移動し精選別部Ｂの後側部の選別網に落下しながら選別される。
【００２６】
そして、前部チャフシーブ２４は、横軸芯回りに回動調節自在の複数の前部チャフ板２４ａ，…を左右方向に並列配置し、各前部チャフ板２４ａ，…を前部チャフシーブ連動板２５に連係し、例えば、調整モータ（図示省略）により前部チャフシーブ連動板２５を前後移動して前部チャフ板２４ａ，…の傾斜角度を調整するように構成している。
【００２７】
揺動選別棚１０の前側部の穀粒移送板１６の下方部位に唐箕１１を配置し、唐箕１１の吹出し口には上部風割２６及び下部風割２７を設け、唐箕１１の上部ケース壁１１ａと上部風割２６との間の上部選別風路２８から吹き出した副選別風は、中間穀粒移送板２３の下方を経由して前部チャフシーブ２４に流れ、更に、精選別部Ｂ及び粗選別部Ａを後側に向けて流れる。また、上部風割２６と下部風割２７の間の主選別風路（上部）２９ａ、及び、下部風割２７と下部ケース壁１１ｂ間の主選別風路（下部）２９ｂに吹き出した主選別風は、精選別部Ｂ及び粗選別部Ａを後側に向けて流れる。
【００２８】
前記のように、粗選別部Ａのグレンシーブ１７の下方部位で且つ後部チャフシーブ１８の前側部には、中間穀粒移送板２３及び前部チャフシーブ２４からなる中間選別部Ｃを配置したので、粗選別部Ａのグレンシーブ１７から漏下した被選別物は後下り傾斜の中間穀粒移送板２３を介して前部チャフシーブ２４に供給され、また、唐箕１１から上部選別風路２８を経て前部チャフシーブ２４に選別風が供給されて被選別物は前部チャフシーブ２４により浮遊選別される。
【００２９】
しかして、穀粒は前部チャフシーブ２４の前部チャフ板２４ａ，…間から漏下し、次いで、精選別部Ｂの選別網から漏下して一番受樋１２に選別され、また、被選別物に混じっている枝梗付き穀粒や藁屑類は前部チャフシーブ２４の前部チャフ板２４ａ，…上及び精選別部Ｂの選別網上を後側に送られて二番受樋１３に落下選別され、選別能力を向上させることができる。
【００３０】
また、前記のように、粗選別部Ａのグレンシーブ１７の下方部位で且つ後部チャフシーブ１８の前側部位には、中間穀粒移送板２３及び前部チャフシーブ２４からなる中間選別部Ｃを設け、後部チャフシーブ１８の後部チャフ板１８ａ，…と前部チャフシーブ２４の前部チャフ板２４ａ，…とを別々に傾斜調節可能に構成したので、多量の被選別物を選別する場合には前部チャフシーブ２４の前部チャフ板２４ａ，…の傾斜角度を急角度に調整する。
【００３１】
すると、被選別物を前部チャフ板２４ａ，…間から漏下させて精選別部Ｂの前側部の選別網上に導くことができて長い選別行程が得られ穀粒のロスを減少させることができ、また、上部選別風路２８を経て前部チャフシーブ２４及び精選別部Ｂに選別風を十分供給することができ選別精度を向上させることができる。
【００３２】
また、少量の被選別物を選別する場合には、前部チャフシーブ２４の前部チャフ板２４ａ，…を緩傾斜に調整する。すると、緩傾斜の前部チャフ板２４ａ，…により多くの被選別物を後側の精選別部Ｂの選別網上に導くことができて余裕を持った選別が可能となり選別精度を向上させることができる。また、穀粒の供給される精選別部Ｂの選別網上には主選別風路（上部）２９ａ、主選別風路（下部）２９ｂ及び上部選別風路２８から多量の選別風が供給されて風選され、穀稈切れや枝梗付き穀粒を後側に移送し、一番受樋１２への穀稈切れの混入を少なくして選別精度を向上させることができる。
【００３３】
なお、前部チャフ板２４ａ，…及び後部チャフ板１８ａ，…の傾斜角度を調整するにあたり、コンバインの車速を車速センサ（図示省略）で検出（あるいは、フィードチエン１の移送速度をフィードチエンセンサ（図示省略）で検出したり、穀粒層厚センサ（図示省略）により穀粒移送板１６の穀粒層厚を検出）して脱穀作業能率を検出し、前部チャフシーブ２４の前部チャフ板２４ａ，…の傾斜角度を関連的に調整したり、あるいは、前部チャフシーブ２４の前部チャフ板２４ａ，…及び後部チャフシーブ１８の後部チャフ板１８ａ，…の傾斜角度を関連的に調整するように構成してもよい。
【００３４】
また、粗選別部Ａと精選別部Ｂとの上下方向中間部には、前側部の中間穀粒移送板２３及び後側の前部チャフシーブ２４からなる中間選別部Ｃを設け、この中間穀粒移送板２３の前側部を後下がりの急傾斜に構成し、中間穀粒移送板２３の後側部を後下がりの緩傾斜に構成し、精選別部Ｂの選別網の前側部である中間穀粒移送板２３の下方対応部位を後下がりの傾斜に構成し、選別網の後側である前部チャフシーブ２４の下方対応部位を後上りの傾斜に構成し、唐箕１１からの上部選別風路２８を精選別部Ｂの選別網の前側部及び中間選別部Ｃの前部チャフシーブ２４に導くように構成したので、前部チャフシーブ２４の前後全域に上部選別風路２８から多量の選別風を送ることができ、中間選別部Ｃの前部チャフシーブ２４及び精選別部Ｂの後側部の選別網まで被選別物を円滑に導くことができ選別精度を向上させることができる。
【００３５】
また、後部チャフシーブ１８における複数の後部チャフ板１８ａ，…を左右方向に並列配置して横軸芯回りに回動調節自在に軸支するにあたり、上部の横軸芯１８ｂ，…回りに回動調節自在に構成し、前部チャフシーブ２４の複数の前部チャフ板２４ａ，…を左右方向に並列配置して横軸芯回りに回動調節自在に軸支するにあたり、下部の横軸芯２４ｂ，…回りに回動するように構成し、最前端の前部チャフ板２４ａ，…の横軸芯２４ｂを前記中間穀粒移送板２３の後側端部下方部位に所定空間を空けて配置している。
【００３６】
しかして、前部チャフ板２４ａ，…の回動中心が上部選別風路２８の前側にあるため、前部チャフシーブ２４の前部チャフ板２４ａ，…の傾斜角度を調節しても各前部チャフ板２４ａ，…に選別風を均等に分配し選別精度を向上させることができる。また、前部チャフ板２４ａ，…を緩傾斜に調節した場合には、被選別物を精選別部Ｂの選別網の後側部に円滑に導くことができ、主選別風路（上部）２９ａ、主選別風路（下部）２９ｂの豊富な選別風を受けて良好に選別することができる。
【００３７】
また、中間選別部Ｃの前部チャフシーブ２４における前部チャフ板２４ａの最後端部を、粗選別部Ａの後部チャフシーブ１８における後部チャフ板１８ａの最前端よりも下方で且つ前側に位置するように構成している。しかして、唐箕１１から上部選別風路２８を経て前部チャフ板２４ａ，…に流れた選別風が後部チャフシーブ１８の後部チャフ板１８ａ，…に円滑に導かれ、後部チャフ板１８ａ，…での選別を良好にすることができる。
【００３８】
また、粗選別部Ａのグレンシーブ１７の後側端部を後続する後部チャフシーブ１８の最前側の後部チャフ板１８ａの上端部よりも下方に位置するように構成している。しかして、グレンシーブ１７により大量の被選別物が移送されても、グレンシーブ１７の後側端部と後部チャフシーブ１８の最前側の後部チャフ板１８ａとの間に一時的に溜って停滞し、その後に後側の後部チャフ板１８ａ，…に向けて移送されることとなり、急激に過度の被選別物が後部チャフシーブ１８に供給されることがなくなり、供給の均等化を図り選別精度の向上を図ることができる。
【００３９】
また、粗選別部Ａを前側部から後側部にわたって穀粒移送板１６、網体のグレンシーブ１７、後部チャフシーブ１８、後部ストローラック２０を設け、網体により構成されているグレンシーブ１７の網目を前側部から後側部にかけて順次粗い網目に構成している。しかして、グレンシーブ１７の前側部分から穀稈切れや枝梗付き穀粒の精選別部Ｂへの落下を防止し、一番受樋１２への穀稈切れや枝梗付き穀粒の落下を少なくし一番穀粒の選別精度を向上させることができる。
【００４０】
次に、図３に基づき中間選別部Ｃの前部チャフシーブ２４及び粗選別部Ａの後部チャフシーブ１８の傾斜角度調節装置について説明する。
【００４１】
後部チャフシーブ１８の複数の後部チャフ板１８ａ，…の下側の自由端側にチャフシーブ連動板２１を連係し、前部チャフシーブ２４の前部チャフ板２４ａ，…の自由端側に前部チャフシーブ連動板２５を連係している。そして、揺動選別枠体１０ａに軸支した調節アーム３０の一端をチャフシーブ連動板２１にピン連結し、調節アーム３０の一端と前部チャフシーブ連動板２５との間をロッド３１を介してピン連結し、調節手段図示省略）により押し引きされる調節ワイヤ３２を調節アーム３０の他端部に連結し、後部チャフシーブ１８の後部チャフ板１８ａ，…と前部チャフシーブ２４の前部チャフ板２４ａ，…を共に急傾斜角度に調節したり、あるいは、緩傾斜角度に調節するように構成している。
【００４２】
しかして、構成を簡単化しながら単一の調節ワイヤ３２により後部チャフシーブ１８の後部チャフ板１８ａ，…及び前部チャフシーブ２４の前部チャフ板２４ａ，…を関連的に傾斜調節することができる。
【００４３】
また、後部チャフシーブ１８の後部チャフ板１８ａ，…と前部チャフシーブ２４の前部チャフ板２４ａ，…とを、共に緩急に関連的に調節する構成でありながら、中間選別部Ｃの前部チャフ板２４ａ，…の後上り傾斜角度を粗選別部Ａの後部チャフ板１８ａ，…の後上り傾斜角度よりも緩傾斜に構成している。
【００４４】
従って、粗選別部Ａの後部チャフ板１８ａ，…により上層の藁屑類を主として選別し、中間選別部Ｃの前部チャフ板２４ａ，…により下層の穀粒を主として選別するにあたり、緩傾斜の前部チャフ板２４ａ，…での穀粒の流れを良くし、急傾斜の後部チャフ板１８ａ，…では被選別物の後側への移動に抵抗を与えて遅くし、藁屑と穀粒との分離が促進され選別精度を向上させることができる。
【００４５】
また、粗選別部Ａの後部チャフ板１８ａ，…により上層の藁屑類を主として選別し、中間選別部Ｃの前部チャフ板２４ａ，…により下層の穀粒を主として選別するにあたり、緩傾斜の前部チャフ板２４ａ，…の枚数を後部チャフ板１８ａ，…の枚数よりも少なくし、前部チャフシーブ２４を後部チャフシーブ１８よりも前後方向長さを短く構成している。
【００４６】
しかして、前部チャフシーブ２４の前部チャフ板２４ａ，…での穀粒の漏下を迅速にし、後部チャフシーブ１８の後部チャフ板１８ａ，…では藁屑類の後側への移送に抵抗を与えてゆっくりしながら前後に長い選別行程とし、藁屑と穀粒との分離を促進し選別精度を向上させることができる。
【００４７】
また、粗選別部Ａの後部チャフ板１８ａ，…により上層の藁屑類を主として選別し、中間選別部Ｃの前部チャフ板２４ａ，…により下層の穀粒を主として選別するにあたり、緩傾斜の前部チャフ板２４ａ，…の枚数を後部チャフ板１８ａ，…の枚数よりも少なくして、前部チャフシーブ２４を後部チャフシーブよりも前後方向長さを短く構成すると共に、前部チャフ板２４ａ，…の前後間隔を後部チャフ板１８ａ，…の前後間隔よりも広く構成している。
【００４８】
しかして、穀粒を主体とした前部チャフシーブ２４の前部チャフ板２４ａ，…での穀粒の漏下を促進し、藁屑類を主体とした後部チャフシーブ１８の後部チャフ板１８ａ，…では藁屑類の後側への移送に抵抗を加えながら遅くし、藁屑と穀粒の分離を促進し選別精度を向上させることができる。
【００４９】
次に、図４に基づき選別制御の他の実施例について説明する。
【００５０】
粗選別部Ａのグレンシーブ１７の後下がりの傾斜角度を例えば傾斜調節モータ（図示省略）により緩急に調節可能に構成し、穀粒移送板１６の穀粒層厚を例えば穀粒層厚センサ（図示省略）により検出可能に構成し、二番揚穀機６の二番還元量を二番還元量センサ（図示省略）により検出可能に構成し、唐箕１１の風力調節手段（図示省略）を設けて、唐箕１１の選別風量とグレンシーブ１７の傾斜角度を関連的に調節するものである。
【００５１】
本制御が開始されると、図４に示すように、穀粒層厚センサ（図示省略）により穀粒移送板１６の穀粒層厚が検出され、穀粒層厚の大小が判定される（ステップＳ１）。穀粒層厚が小の場合には、制御部（図示省略）の指令により唐箕風量調節手段（図示省略）が減少側に作動して唐箕風量が小に調節され（ステップＳ２）、次いで、粗選別部Ａのグレンシーブ１７の後下り傾斜が緩傾斜に調節される（ステップＳ３）。
【００５２】
また、穀粒層厚が中程度の場合には、唐箕風量調節手段により唐箕風量が中程度に調節され（ステップＳ４）、粗選別部Ａのグレンシーブ１７の後下り傾斜が中程度に調節される（ステップＳ５）。
【００５３】
また、穀粒層厚が大の場合には、唐箕風量調節手段により唐箕風量が大に調節され（ステップＳ６）、次いで、二番還元量センサ（図示省略）により二番還元量を検出してその大小を判定し（ステップＳ７）、二番還元量が小の場合には、唐箕風量が中程度に調節され（ステップＳ４）、グレンシーブ１７の後下り傾斜が中程度に調節される（ステップＳ５）。
【００５４】
また、二番還元量が中程度の場合には、唐箕風量は大の状態で、グレンシーブ１７の後下り傾斜が中程度の傾斜に調節され（ステップＳ８）、また、二番還元量が多い場合には、唐箕風量は大の状態で、グレンシーブ１７の後下り傾斜が急傾斜に調節される（ステップＳ９）。
【００５５】
前記のように唐箕風量と粗選別部Ａのグレンシーブ１７の下り傾斜角度を関連調節することにより、被選別物の多少に円滑に対応し良好な選別をすることができる。
【００５６】
次に、図５により粗選別部Ａのグレンシーブ１７、後部チャフシーブ１８の後部チャフ板１８ａ，…及び中間選別部Ｃの前部チャフ板２４ａ，…の関連的傾斜調節構成について説明する。
【００５７】
後部チャフシーブ１８の後部チャフ板１８ａ，…の下端部及び前部チャフシーブ２４の前部チャフ板２４ａ，…の下端部を中抜き揺動選別枠体１０ａに夫れ夫れ軸支して、後上り傾斜角度を緩急に調節可能に構成して、これらの前部チャフ板２４ａ，…及び後部チャフ板１８ａ，…の自由端側を前後の連結棒４２，４３に連係し、前後の連結棒４２，４３を前後動させることにより傾斜調節可能に構成している。粗選別部Ａのグレンシーブ１７の前端部を軸支してグレンシーブ１７の後側部を上下調節可能に構成し、後下がりの傾斜角度を調節できるようにに構成している。
【００５８】
粗選別部Ａのグレンシーブ１７の後側部下方で、後部チャフシーブ１８の前側部下方で、且つ、中間選別部Ｃの前部チャフシーブ２４の後側部位に、調節アーム４４を支点Ｐ回りに回動自在に設け、調節アーム４４の回動側端部に設けた連動ロッド４６をグレンシーブ１７の後側端部に枢支連結し、調節アーム４４の回動側端部に設けた前後の連動ロッド４７，４８を前記連結棒４２，４３の端部に枢支連結している。
【００５９】
しかして、操作具（図示省略）により調節アーム４４を支点Ｐ回りに反時計方向に回動すると、グレンシーブ１７が後下がりの急傾斜に、前部チャフ板２４ａ，…及び後部チャフ板１８ａ，…が急傾斜に調節され、また、時計方向に回動すると、グレンシーブ１７が後下がりの緩傾斜に、前部チャフ板２４ａ，…及び後部チャフ板１８ａ，…が緩傾斜に調節され、被選別物の大小に円滑に対応し選別精度を高めることができる。また、調節アーム４４を前記の位置に配置したことにより、リンク構成をコンパクトにすることができる。
【００６０】
また、粗選別部Ａのグレンシーブ１７の後下りの傾斜角度を単独で調節できるように構成してもよい。このように構成すると、麦の脱穀作業のときにグレンシーブ１７を急傾斜に調節することにより、穀稈切れの混じっている小さな麦粒を速く後側に送り、一番穀粒への夾雑物の混入を防ぎ選別精度を高めることができる。
【００６１】
次に、図６〜図８に基づき脱穀部に併設するグレンタンク５１について説明する。
【００６２】
グレンタンク５１の内側である脱穀部寄り側方に一番揚穀機５２を配置し、グレンタンク５１の底部には横送りオーガ５３ａの設けられている穀粒樋５３を前後方向に沿わせて設けている。揚穀オーガの内装されている揚穀オーガ筒５４をグレンタンク５１の後側部で、且つ、外側寄りに配設し、揚穀オーガ筒５４の下端部を穀粒樋５３の終端側に連接し、揚穀オーガ筒５４の上端部に排出オーガの内装されている排出オーガ筒５５を取り付け、排出オーガ筒５５を昇降回動で且つ縱軸回りに旋回自在に構成し、一番揚穀機５２により揚穀収納された穀粒を揚穀オーガ筒５４及び排出オーガ筒５５を経て機外に取り出し可能に構成している。
【００６３】
そして、オーガ５６ａの内装されている循環移送筒５６をグレンタンク５１の上側に前後方向に沿わせて配置し、揚穀オーガ筒５４の上端部には切替バルブ５７を介して循環移送筒５６の始端側を連接し、揚穀オーガ筒５４により揚穀された穀粒を切替バルブ５７により排出オーガ筒５５側に切り替え移送したり、あるいは、循環移送筒５６側に切換移送可能に構成している。
【００６４】
そして、循環移送筒５６の中途部で且つ一番揚穀機５２の排出口５２ａから離れた位置に還流口５８を設け、揚穀循環穀粒をグレンタンク５１内に循環するように構成している。また、循環移送筒５６のグレンタンクへの還流口５８に対向するように吸塵ファン５９を設け、循環穀粒中の塵埃類を吸塵ファン５９により吸引し機外に排出するように構成している。
【００６５】
脱穀部で脱穀物を確実に単粒化しようとすると、脱穀部を高能力化しなければならず、装置が大型化しコストアップの原因となる。しかし、グレンタンク５１内の穀粒をオーガにより循環させることにより、グレンタンク５１下部の穀粒圧力を低減させ穀粒の固まりを抑制し穀粒の排出を円滑化しながら、枝梗付き穀粒を単粒化することができる。また、穀粒の循環中に吸塵ファン５９により藁屑や塵埃類を機外に排出できるので、脱穀部の選別性能をあまりあげる必要もなくなり、穀粒の単粒化しながら脱穀部の大型化及びコストアップを抑制することができる。
【００６６】
次に、図９〜図１１に基づきグレンタンク５１の他の実施例について説明する。
【００６７】
グレンタンク５１の内側である脱穀部寄り側方に一番揚穀機５２を配置し、グレンタンク５１の底部には横送りオーガ５３ａの設けられている穀粒樋５３を前後方向に沿わせて設けている。穀粒樋５３の一端側に揚穀オーガの内装されている揚穀オーガ筒５４の下端部を連接し、揚穀オーガ筒５４の上端部に排出オーガの内装されている排出オーガ筒５５を取り付け、排出オーガ筒５５を昇降回動及び縱軸回りに旋回可能に構成し、一番揚穀機５２により揚穀収納された穀粒を揚穀オーガ筒５４及び排出オーガ筒５５を経て機外に取り出し可能に構成している。
【００６８】
また、穀粒樋５３の横送りオーガ５３ａの他端部には循環オーガの内装されている揚穀循環筒６０の下端部を取り付けてタンク内の穀粒を循環揚穀可能に構成している。そして、横送りオーガ５３ａの軸端部に大径の循環用伝動プーリ６１及び小径の排出用伝動プーリ６２を取り付けて、循環伝動ベルト（図示省略）及び排出伝動ベルト（図示省略）を介して動力を伝達し、横送りオーガ５３ａを低速で正回転して少量の穀粒を揚穀循環筒６０側に移送すると共に、揚穀循環筒６０の揚穀オーガを駆動したり、また、横送りオーガ５３ａを高速で逆回転して多量の穀粒を揚穀オーガ筒５４側に移送すると共に、揚穀オーガ筒５４のオーガを駆動するように構成している。そして、グレンタンク５１の上方における揚穀循環筒６０の穀粒揚穀口６０ａから離れた位置に吸塵ファン５９を設けている。
【００６９】
しかして、コンバインの脱穀作業中には、循環伝動ベルト（図示省略）を介して横送りオーガ５３ａを低速で正回転しながら穀粒を少量ずつ移送し、揚穀循環筒６０のオーガにより揚穀しグレンタンク５１内を循環させ、揚穀の際に飛散する塵埃類を吸塵ファン５９により機外に排出する。しかして、穀粒の脱ぷ損傷を抑制しながら枝梗付き穀粒を単粒化し塵埃類を除去することができる。
【００７０】
また、脱穀作業が終了しグレンタンク５１内の穀粒を排出するときには、排出伝動ベルト（図示省略）を介して横送りオーガ５３ａを高速で逆回転し、多量の穀粒を揚穀オーガ筒５４に移送して揚穀オーガ筒５４で揚穀し、排出オーガ筒５５から穀粒を迅速に機外に取り出すことができる。
【００７１】
また、図１１に示すように、一番揚穀機５２をグレンタンク５１の前側部で且つ内側寄りに配置し、揚穀循環筒６０をグレンタンク５１の前側で且つ外側寄りに配置すると、グレンタンク５１に循環穀粒を均等に入り込むことができて、穀粒収容率を高めることができる。
【００７２】
また、グレンタンク５１に穀粒張込センサ６４を設けるにあたっては、図９に示すように、揚穀循環筒６０の穀粒排出口６０ａの下方部位で、揚穀穀粒の飛散位置の下方に配置し、且つ、穀粒張込センサ６４の下面に検出スイッチ部６４ａを設けように構成している。しかして、循環穀粒による誤検出を防止し、検出精度を高めることができる。
【００７３】
次に、図１２〜図１４に基づきグレンタンク５１と揚穀オーガ筒５４及び排出オーガ筒５５の他の実施例について説明する。
【００７４】
合成樹脂製のグレンタンク５１の後側中央部には凹部６５を構成し、この凹部６５に平面視で揚穀オーガ筒５４を入り込ませるように配設し、平面視でグレンタンク５１の仮想四辺形内に揚穀オーガ筒５４が収まるように構成している。即ち、グレンタンク５１の凹部６５には、平面視で揚穀オーガ筒５４の略半分を構成する凹溝半体６６を構成し、また、前記凹溝半体６６に対向する揚穀筒半体６７を鉄板により構成し、揚穀筒半体６７をグレンタンク５１の凹溝半体６６に対向してボルト・ナットで固着し、凹溝半体６６と揚穀筒半体６７とにより揚穀オーガ筒５４を構成し、この揚穀オーガ筒５４に揚穀オーガを内装している。
【００７５】
そして、このようにして構成されている揚穀オーガ筒５４の上端部に、排出オーガの内装されている排出オーガ筒５５を取り付け、排出オーガ筒５５を昇降回動及び縱軸回りに旋回自在に取り付け、一番揚穀機５２により揚穀収納された穀粒を揚穀オーガ筒５４及び排出オーガ筒５５を経て機外に取り出し可能に構成している。
【００７６】
前記のように、平面視でグレンタンク５１の凹部６５内に揚穀オーガ筒５４を配置したので、車台面積を有効利用しながらグレンタンク５１を配置でき、グレンタンク５１の容量を確保することができ、また、揚穀筒半体６７を鉄板により構成したのでコストの低減を図ることができる。
【００７７】
また、グレンタンクの従来技術として実開昭６１−１４２５５２号公報のものがあるが、平面視でグレンタンクの側面からオーガ揚穀筒の半分が突出すように設けられているので、グレンタンクの容量を十分に高めることができないという不具合があった。しかし、前記構成とすることにより、このような不具合も解消することができる。
【図面の簡単な説明】
【００７８】
【図１】脱穀部の切断側面図。
【図２】脱穀部の切断平面図。
【図３】要部の切断側面図。
【図４】選別制御のフローチャート。
【図５】要部の側面図。
【図６】グレンタンクの切断側面図。
【図７】グレンタンクの正面図。
【図８】グレンタンクの平面図。
【図９】グレンタンクの切断側面図。
【図１０】グレンタンクの正面図。
【図１１】グレンタンクの平面図。
【図１２】グレンタンクの側面図。
【図１３】グレンタンクの平面図。
【図１４】グレンタンクの切断平面図。
【符号の説明】
【００７９】
２      扱室
１０      揺動選別棚
１１      唐箕
１２      一番受樋
１３      二番受樋
１６      穀粒移送板
１７      グレンシーブ
１８      後部チャフシーブ
１８ａ    後部チャフ板
２０      後部ストローラック
２３      中間穀粒移送板
２４      前部チャフシーブ
２４ａ    前部チャフ板
２８      上部選別風路
２９      下部選別風路
Ａ      粗選別部
Ｂ      精選別部
Ｃ      中間選別部
【図１】
2005333892.tif 000003
【図２】
2005333892.tif 000004
【図３】
2005333892.tif 000005
【図４】
2005333892.tif 000006
【図５】
2005333892.tif 000007
【図６】
2005333892.tif 000008
【図７】
2005333892.tif 000009
【図８】
2005333892.tif 000010
【図９】
2005333892.tif 000011
【図１０】
2005333892.tif 000012
【図１１】
2005333892.tif 000013
【図１２】
2005333892.tif 000014
【図１３】
2005333892.tif 000015
【図１４】
2005333892.tif 000016